(57)【要約】【課題】カードを問題なく排出できるイジェクト機構を備えるカード用コネクタを提供する。【解決手段】本発明のカード用コネクタは、コネクタ本体と、コネクタ本体に装着される複数の導電端子と、コネクタ本体に覆うフレームと、フレームの一側壁に取付けられるイジェクト機構とを含み、イジェクト機構は、運動方向がカードの挿入／排出方向に平行な排出部材と、連動部材と、前記排出部材と連動部材とを連接する枢支部材と、前記連動部材に連接する押圧部材とを含むことを特徴とする。イジェクト機構の排出部材の運動方向は、カードの挿入／排出方向に平行であり、さらには排出部材からカードに加えた作用力の方向がカードの挿入／排出方向に平行であり、これにより、カードの側縁がフレームの側壁に接触し摩擦力を生じさせることを防止でき、カードを問題なく排出することができるという目的が達成される。【選択図】図５
2007258151.tif 000002
【特許請求の範囲】
【請求項１】
コネクタ本体と、
前記コネクタ本体に装着される複数の導電端子と、
前記コネクタ本体に覆うフレームと、
前記フレームの一側壁に取付けられるイジェクト機構と
を含み、
前記コネクタ本体と前記フレームとが、カードを収容するための収容空間を形成するカード用コネクタにおいて、
前記イジェクト機構は、運動方向がカードの挿入／排出方向に平行な排出部材と、連動部材と、前記排出部材と連動部材とを連接する枢支部材と、前記連動部材に連接する押圧部材とを含むことを特徴とするカード用コネクタ。
【請求項２】
前記枢支部材は、一端が前記排出部材に連接し、他端が前記連動部材に連接していることを特徴とする、請求項１に記載のカード用コネクタ。
【請求項３】
前記排出部材は、前記フレームの先端側壁に位置する排出部を有することを特徴とする、請求項１に記載のカード用コネクタ。
【請求項４】
前記カードは、Ｌ字形状または矩形形状を成し、前記排出部がＬ字形状を成すカードの中心線に隣接していることを特徴とする、請求項３に記載のカード用コネクタ。
【請求項５】
前記枢支部材は、前記フレームに回転可能に取付けられる枢支部を有することを特徴とする、請求項１に記載のカード用コネクタ。
【請求項６】
前記カード用コネクタは、ガイド部材を有し、該ガイド部材と前記フレームとの間に隙間が形成され、前記枢支部材が前記隙間に収容されることを特徴とする、請求項１に記載のカード用コネクタ。
【請求項７】
前記カード用コネクタは、ガイド部材を有し、該ガイド部材に前記排出部材を移動可能に収容するためのスリットが形成されることを特徴とする、請求項１に記載のカード用コネクタ。
【請求項８】
前記排出部材は末端部を有し、前記末端部が前記スリットを突出し、Ｌ字形状を成すカードを押圧できることを特徴とする、請求項７に記載のカード用コネクタ。
【請求項９】
前記フレームには、凹溝が形成され、前記排出部材は、前記凹溝に前後方向に沿って移動可能に収容されることを特徴とする、請求項１に記載のカード用コネクタ。
【発明の詳細な説明】
【技術分野】
【０００１】
本発明は、カードを接続するために使用されるカード用コネクタ（以下単に「コネクタ」と略称することもある）に関し、特に、イジェクト機構を有するカード用コネクタに関するものである。
【背景技術】
【０００２】
パンコンの拡張可能性の要求を満足するために、近年のパソコンは、その内部の情報処理回路のバスに対して各種の機能拡張カードを着脱できる。このような機能拡張カードとして現在実用されているものとしては、例えば、情報処理回路の外部記憶媒体として用いられるＩＣカードやハードディスクカード、情報処理回路と通信網との通信を仲介するＬＡＮ（ローカルエリアネットワーク）カードや、モデムカード、ＳＣＳＩインタフェースを内蔵したＳＣＳＩカード、デジタルカメラを内蔵したカメラカード等が列挙される。これらの機能拡張カードは、「ＰＣカード」と総称される。
【０００３】
現在、ＰＣカードの規格に関しては、ＰＣＭＣＩＡ（Personal Computer Memory Card International Association）の定める標準により、規格統一がなされている。また、ＰＣＭＣＩＡは、２００３年末に新しい規格に準拠するＰＣカードとしてのエクスプレス（Express）カードの規格が定められた。前記規格のエクスプレスカードには、その形状がＬ字形状或は矩形形状を成す、両種のタイプを備える。その中、矩形状を成すカードの幅は、Ｌ字形状を成すカードの最小の幅と同じである。
【０００４】
従来のエクスプレスカードを接続するために用いられるコネクタは、特許文献１に示すように、Ｌ字形状を形成するエクスプレスカードを接続可能とするためのコネクタであり、イジェクト機構を有する。前記イジェクト機構は、心臓形状を呈するレールが形成されるベース体と、前記ベース体に沿って移動可能でき、コネクタに挿入したエクスプレスカードに押圧可能とされる連動部材と、可動部材の一端が心臓形状を呈するレールに沿って移動可能とされ、且つ、前記可動部材の他端が前記連動部材に固持される前記可動部材と、弾性作用力を提供するためのばね体と、を含む。前記イジェクト機構のエクスプレスカードを排出する原理は、本発明の属する技術分野における従来周知技術と同様である。即ち、前記原理とは、カードを排出する際に、再度カードを挿入方向に沿って押圧しさえすれば、前記ばね体の弾性力で連動部材によりカードが排出される仕組みである。
【特許文献１】台湾実用新案第２７７１３４号明細書
【発明の開示】
【発明が解決しようとする課題】
【０００５】
しかしながら、前記イジェクト機構によって、連動部材の先端に設けられた押圧凸部によりカードの側縁部に押圧しカードを排出することが達成される。しかしながら、押圧凸部がカードの側縁部だけを押圧し、カードのイジェクト機構から受けた作用力とは釣り合わないので、カードを排出する際に、カードが偏り易くなる。これにより、カードがコネクタの金属フレームに密接するようになる恐れがあり、この場合には、カードをコネクタから排出することが困難となる。そこで、本発明は、以上の欠点に鑑みて成されたものであり、改良した新型のカード用コネクタを提供することを目的とする。
【０００６】
本発明は、カードを問題なく排出できるイジェクト機構を備えるカード用コネクタを提供することを目的とする。
【課題を解決するための手段】
【０００７】
前記目的を達成するために、本発明のカード用コネクタは、コネクタ本体と、前記コネクタ本体に装着される複数の導電端子と、前記コネクタ本体に覆うフレームと、前記フレームの一側壁に取付けられるイジェクト機構とを含み、前記コネクタ本体と前記フレームとがカードを収容するための収容空間を形成するカード用コネクタにおいて、前記イジェクト機構は、運動方向がカードの挿入／排出方向に平行な排出部材と、連動部材と、前記排出部材と連動部材とを連接する枢支部材と、前記連動部材に連接する押圧部材とを含むことを特徴とする。
【発明の効果】
【０００８】
従来の技術に比べると、本発明は以下の長所がある。イジェクト機構の排出部材の運動方向は、カードの挿入／排出方向に平行で、且つ、枢支部材により連動部材と排出部材連接し、連動部材と押圧部材との間の連接し、排出部材からカードに加えた作用力の方向がカードの挿入／排出方向に平行とされて、これにより、カードの側縁がフレームの側壁に接触し摩擦抵抗を生じさせることを防止でき、カードを問題なく排出するという本発明の目的を達成することができる。
【発明を実施するための最良の形態】
【０００９】
以下、本発明のカード用コネクタ（以下、単にコネクタという）の好ましい実施形態について、添付図面の図１ないし図６を参照して説明する。コネクタ１は、Ｌ字形状と矩形形状を成す二種のカード（図示せず）それぞれを収容するのに用いられコネクタ本体２と、該コネクタ本体２に装着される複数の導電端子３と、コネクタ本体２に組み付けられた金属板からなるフレーム４と、フレーム４の一側に取付けられるイジェクト機構５とを含む。前記コネクタ本体２とフレーム４とは、挿入口（参照記号なし）を有するカードを収容するための収容空間（参照記号なし）を形成する。また、コネクタ１は、前記フレーム４の両側にそれぞれ取付けられた一対の支持部材６と、フレーム４に取付けられたガイド部材７と、該コネクタ１の底部に取付けられるベース部材８と、を含む。
【００１０】
図３と図４を参照すると、該コネクタ本体２は、矩形状を呈する基部２０と、該基部２０の長手方向の端部から後向きに延在する一対の延出アーム２１と、前記基部２０から一対の延出アーム２１の間に延在して形成される対接部２２と、前記基部２０の先端に形成される凸部（参照記号なし）と、を含む。前記対接部２２には基部２０を貫通し、導電端子３を収容するための端子通路２３が形成され、また、前記一対の延出アーム２１の先端には、各縁部でアーム２１を垂直に貫通する固持孔２４がそれぞれ形成される。
【００１１】
前記複数の導電端子３は、コネクタ本体２の端子通路２３に対応し収容され、カードに接続するためのコンタクト部３０と、プリント基板（図示せず）に接続するためのテール部３１と、コンタクト部３０とテール部３１とを連接し、コネクタ本体２に保持された固持部３２とを含む。
【００１２】
図３ないし図５を参照すると、前記フレーム４は、金属板により構成されており、前記コネクタ本体２に組み付けられ、Ｌ字形状を成し、幅が広い後端と幅が狭い前端とを有する。該フレーム４は、Ｌ字形状を成す主体部４０と、主体部４０の先端から折曲って延出するように形成される先端側壁４１と、主体部４０の両側から折曲って延出するように左右側壁４２と、主体部４０から折曲って延出するように、前記左側壁の先右端側に位置する横壁４４を含み、前記左右側壁４２の長さは異なり、左側壁が右側壁より短い。前記主体部４０の先端左側縁に隣接する箇所にはスリット４００が形成され、該スリット４００の左側に位置する部分が下向きに折曲がって水平方向に沿って延在してから上向きに折曲って延出するように凹溝４５からなる。前記凹溝４５の後方の部分に、主体部４０から下向きに延在し、前記ガイド部材７を取付けるための取付口４６０を有する係合片４６が形成され、前記係合片４６の後端に半円状を呈する切欠口（参照記号なし）が形成され、前記切欠口の後端の主体部４０には、凹溝４５と同一直線に位置するように、一端が外方に連通しているスリット４０１が形成される。
【００１３】
前記フレーム４の主体部４０の両側縁それぞれには、収容空間に向かって突出する複数の凸片４０３と、凸片４０３と同一直線に位置するように、カードの両側に形成される凹部に押圧する弾性片４０２とが形成される。前記左右側壁４２から収容空間に向かって延在するように形成される底壁（参照記号なし）にも、複数の凸片４０３が収容空間に向かって突出するように形成され、前記複数の凸片４０３がカードの凹部に対応して収容空間に向かって突出し、カードの収容空間への挿入をガイドするためのガイド溝４０４が形成される。
【００１４】
また、前記フレーム４の左右側壁４２に支持部材６を組み付けるための凸部（参照記号なし）がそれぞれ形成され、前記横壁４４に弾性片（参照記号なし）が形成され、ガイド部材７を係合するためにその底壁が収容空間に向かって折り曲がって延在している。前記先端側壁４１にコネクタ本体２の基部２０の凸部に係合するための係合口（参照記号なし）が形成される。また、前記先端側壁４１に、コネクタ本体２の固持孔２４に対応した固持孔４３が形成され、ボルト４７が、前記固持孔４３と、固持孔２４と、プリント基板（図示せず）の固持孔とに順序に貫通することにより、フレーム４がコネクタ本体２に係合される。
【００１５】
図３ないし図６を参照して、イジェクト機構５について説明する。イジェクト機構５がフレーム４の左側壁に組み付けられ、押圧部材５０と、連動部材５１と、枢支部材５２と、排出部材５３とを含む。前記押圧部材５０は、操作部５００と、複数の係止片５０２が設けられるシェル５０１と、シェル５０１に取付けられ、心臓状を呈するレールを設ける基部（図示せず）、連接部材（図示せず）、ばね部材（図示せず）とを含み、該押圧部材５０の工作原理と組み付け方式は、本発明の属する技術分野における従来周知技術と同様であり、ここでは詳細には説明しない。
【００１６】
前記連動部材５１は、押圧部材５０に延出しその操作部５００に係合する末端部５１０と、前記連動部材の先端に形成される開口５１１とを有する。前記排出部材５３は、フレーム４の凹溝４５に移動可能に収容され、前記排出部材の先端から該先端に対して略垂直に延出するように形成される排出部５３０と、前記排出部材の末端に形成される末端部５３１と、末端部５３１から突出するように形成される錠止部５３２と、を含む。前記排出部５３０は、フレーム４のスリット４００を貫通して収容空間に挿入して、図５に示すフレーム４の幅が広い後端の縱方向での中心線即ちＡ−Ａ線に隣接する箇所に位置し、また、該排出部５３０の移動方向は、カードの収容空間への挿入方向に平行である。
【００１７】
前記枢支部材５２は、フレーム４の主体部４０の底壁に貼り付けられ、主体部４０に回転可能に取付けられる枢支部５２０と、一端に前記連動部材５１の開口５１１に収容される折曲部５２１と、前記スリット４０１に移動可能な他端に前記排出部材５３の錠止部５３２に係合し収容するための錠止溝５２２とを含む。折曲部５２１が開口５１１に係合することにより連動部材５１が枢支部材５２に連接し、さらには、前記錠止溝５２２が錠止部５３２に係合することにより枢支部材５２が排出部材に連接する。これにより、前記連動部材５１と枢支部材５２と排出部材５３とを首尾で順序に繋げられる。また、前記枢支部材５２が枢支部５２０を軸としてフレーム４に対し回転可能になっている。
【００１８】
カードを排出する際に、手で操作部５００を前向きに押圧すると、連動部材５１を前向きに移動させられ、次に該連動部材５１に連接する枢支部材５２の一端も前向きに移動させられることで、枢支部材５２の他端が枢支部５２０を回転中心として後向きに回転可能に移動し、前記排出部材５３の錠止部５３２が枢支部材５２の他端に設けられる錠止溝５２２に係合することで、枢支部材５２の他端の後向きへの移動に従って排出部材５３も後向きに移動させられ、更に排出部材５３の排出部５３０の後向きへの移動により、カードが排出部５３０からの後向きへの作用力を受けて収容空間から排出される。カードを挿入する際に、カードの先端が排出部５３０に押圧し、排出部材５３を前向きに移動させられ、枢支部材５２の排出部材５３に連接する他端も前向きに移動し、これによって、枢支部材５２の連動部材５１に連接する一端が枢支部５２０を回転中心として後向きに回転可能に移動させられ、これによって、前記連動部材５１を後向きに移動させて初期状態に回復する。押圧部材５０の内部構造により、前記連動部材５１が後向きに移動する過程において、押圧部材５０が移動しない。この原理は本発明の属する技術分野における従来周知技術と同様であり、ここでは詳細には説明しない。
【００１９】
図３ないし図５を参照すると、一対の支持部材６がフレーム４の左右側壁４２にそれぞれ取付けられ、固持片６０と固持片６０の底縁から延在するように固持孔６１０が設けられる固持脚６１とをそれぞれ含み、そのイジェクト機構５の一側に位置する支持部材６は、固持片６０の側縁から折曲がって延出するように、イジェクト機構５のシェル５０１に覆う保持片６２も含む。前記固持片６０と保持片６２とに、ロック片（参照記号なし）とロック溝（参照記号なし）とがそれぞれ形成され、固持片６０のロック溝とロック片とが前記フレーム４の左右側壁に形成される複数の凸部にそれぞれ係合されることにより、支持部材６がフレーム４の左右側壁に組み付けられる。保持片６２のロック片とロック溝とがイジェクト機構５の係止片５０２に係合される。これにより、他の支持部材６がイジェクト機構５に係合される。イジェクト機構５の一側に位置する支持部材６の固持片６０の先端には、イジェクト機構５の連動部材５１に貫通するための通孔６００が形成される。
【００２０】
図３ないし図６を参照すると、前記ガイド部材７は、フレーム４に組み付けられ、三角形状を成す板体部７０と、板体部７０の前側縁から上向きに延出する横板部７１と、該横板部７１から前向きに延出する縦板部７２とを含む。前記板体部７０には、フレーム４に形成されるスリット４０１に上下に連通するスリット７００と、フレーム４の主体部４０に形成された凸片４０３に係合するための突起７０１とが設けられ、カードの挿入／排出する際において前記排出部材５３の末端部５３１が前記スリット７００を貫通してスリット７００内に移動することによりＬ字形状を成すカードを押圧して、カードが収容空間から排出される。前記突起７０１がフレーム４の凸片４０３に係合することによりガイド部材７がフレーム４に保持される。
【００２１】
図３と図６とを参照すると、前記板体部７０は階段面７０２を有し、ガイド部材７がフレーム４に取付けられる際に、該階段面７０２とフレーム４の主体部４０との間に隙間７０３が形成され、前記枢支部材５２の枢支部５２０が該隙間７０３に収容される。前記横板部７１に前記フレーム４の横壁４４に係合する窪み部７１０が設けられ、横壁４４が横板部７１に係合し、その弾性片が前記窪み部７１０に係合し収容される。前記縦板部７２には、フレーム４の係合片４６の取付口４６０に収容される突部７２０が形成される。
【００２２】
図３と図４とを参照すると、前記Ｌ字形状を成すベース部材８は、コネクタ１の底部に取付けられ、両側には複数の取付片（参照記号なし）がそれぞれ形成され、前記取付片がフレーム４に係合することにより、ベース部材８がフレーム４に取付けられる。
【００２３】
本発明のコネクタ１のイジェクト機構５の排出部材５３の排出部５３０の運動方向は、カードの挿入／排出方向に平行であり、且つ、枢支部材５２により連動部材５１と排出部材５３を連接し、連動部材５２と押圧部材５０との間の連接により、排出部材５３からカードに加えた作用力の方向がカードの挿入／排出方向に平行であり、これにより、カードの側縁がフレーム４の左右側壁４２に接触し摩擦抵抗を生じさせることを防止できる。また、排出部材５３の末端部５３１もＬ字形状を成すカードを押圧できることで、排出部５３０と末端部５３１との共通作用により、カードが問題なく排出される。
【００２４】
以上、本発明について最良の実施の形態を参照して詳細に説明したが、実施形態はあくまでも例示的なものであり、これらに限定されるものではない。また上述の説明は、本発明に基づきなしうる細部の修正或は変更など、いずれも本発明の請求範囲に属するものとする。
【図面の簡単な説明】
【００２５】
【図１】本発明に係るカード用コネクタ組合せの斜視図である。
【図２】本発明に係るカード用コネクタのベース部材がコネクタ本体に取り外す組合せの斜視図である。
【図３】本発明に係るカード用コネクタの分解斜視図である。
【図４】本発明に係るカード用コネクタの他の角度から見た分解斜視図である。
【図５】本発明に係るカード用コネクタのイジェクト機構とフレームと支持部材との組み合わせの斜視図である。
【図６】本発明に係るカード用コネクタのイジェクト機構とフレームと支持部材とガイド部材との組み合わせの斜視図である。
【符号の説明】
【００２６】
１  カード用コネクタ
２  コネクタ本体
３  導電端子
４  フレーム
５  イジェクト機構
６  支持部材
７  ガイド部材
８  ベース部材
２０  基部
２１  延出アーム
２２  対接部
２３  端子通路
２４  固持孔
３０  コンタクト部
３１  テール部
３２  固持部
４０  主体部
４１  先端側壁
４２  左右側壁
４３  固持孔
４４  横壁
４５  凹溝
４６  係合片
４７  ボルト
５０  押圧部材
５１  連動部材
５２  枢支部材
５３  排出部材
６０  固持片
６１  固持脚
６２  保持片
７０  板体部
７１  横板部
７２  縦板部
４００  スリット
４０１  スリット
４０２  弾性片
４０３  凸片
４０４  ガイド溝
４６０  取付口
５００  操作部
５０１  シェル
５０２  係止片
５１０  末端部
５１１  開口
５２０  枢支部
５２１  折曲部
５２２  錠止溝
５３０  排出部
５３１  末端部
５３２  錠止部
６００  通孔
６１０  固持孔
７００  スリット
７０１  突起
７０２  階段面
７０３  隙間
７１０  窪み部
７２０  突部
【図１】
2007258151.tif 000003
【図２】
2007258151.tif 000004
【図５】
2007258151.tif 000005
【図６】
2007258151.tif 000006
【図３】
2007258151.tif 000007
【図４】
2007258151.tif 000008